(57)【要約】【課題】    照明装置から照明部の昇降手段を排除し、着脱手段の操作を遠隔操作とすることで、照明装置の小型軽量化および構造の簡素化をした照明装置および外部装置を提供する。【解決手段】  構造物の天井に固定された照明装置本体１１と、前記照明装置本体１１に着脱手段により着脱自在に設けた照明部２と、からなり、昇降手段３５を照明装置本体１１および照明部２以外に設けた照明装置１であって、上記着脱手段を動かす操作部３２および上記昇降手段３５を上記照明装置本体１１から分離し、外部装置３に設けた。【選択図】        図１
2010009864.tif 000002
【特許請求の範囲】
【請求項１】
構造物の天井に固定された照明装置本体と、前記照明装置本体に着脱手段で着脱自在に設けた照明部と、からなる照明装置において、上記着脱手段を操作するために必要な操作部および取り外した上記照明部を上記照明装置本体から昇降させる昇降手段を、上記照明装置本体および上記照明部以外に設けたことを特徴とする照明装置。
【請求項２】
前記着脱手段に永久磁石と電磁石による磁気的作用を用いたことを特徴とする請求項１記載の照明装置。
【請求項３】
請求項１または２記載の前記着脱手段を操作するための操作部および前記昇降手段を設けた外部装置であって、前記照明装置本体および前記照明部から分離したことを特徴とする外部装置。
【請求項４】
取り外した前記照明部が載置される受け部を前記外部装置に設けたことを特徴とする請求項３記載の外部装置。
【請求項５】
前記受け部に前記照明部の載置を検知する検知手段を設けたことを特徴とする請求項４記載の外部装置。
【請求項６】
構造物の床面もしくは上記床面に接地した固定物に載置することで前記外部装置の姿勢を保持する台座部を設けたことを特徴とする請求項３から５のいずれか一つに記載の外部装置。
【発明の詳細な説明】
【技術分野】
【０００１】
本発明は、天井に取り付けられた照明装置において、照明部を照明装置本体から着脱自在とした照明装置およびその着脱の操作を行う外部装置に関するものである。
【背景技術】
【０００２】
従来から、照明装置に昇降手段を設け、メンテナンスのさいにランプなどの光源を備えた照明部を上記昇降手段により昇降させる昇降式照明装置がある。こうした昇降式照明装置は、上記光源の交換や照明部の清掃などのメンテナンス作業が容易でない天井高さの高い場所に利用されている。
【０００３】
これは、昇降手段により照明部を下降させ、作業者の所望の高さに位置させることで、照明部のメンテナンス作業を安全に且つ容易に実行できるからである（例えば、特許文献１参照）。
【０００４】
しかしながら、上記昇降式照明装置の内部には、照明部を吊持した吊部材を巻く巻取りドラムや、昇降用駆動部である電動機などの昇降手段と、照明装置から照明部を着脱する着脱手段と、それらの操作装置を備えている。そのため、昇降式照明装置の大型化や、内部構造の複雑化を招くとともに、材料費や設置費用を増加させている。
【特許文献１】特開２００１−１２６５２８号公報
【発明の開示】
【発明が解決しようとする課題】
【０００５】
そこで、本発明の照明装置および外部装置は、照明装置から照明部を着脱させる着脱手段の操作部および照明装置から照明部を昇降させる昇降手段を外部装置とし、昇降手段を照明装置から排除することで、照明装置の小型軽量化および構造の簡素化をし、費用の削減を課題とするものである。
【課題を解決するための手段】
【０００６】
上記課題を解決するために、本発明の照明装置１は、構造物の天井に固定された照明装置本体１１と、上記照明装置本体１１に着脱手段で着脱自在に設けた照明部２と、からなる照明装置１において、上記着脱手段を操作するために必要な操作部３２および取り外した上記照明部２を上記照明装置本体１１から昇降させる昇降手段３５を、上記照明装置本体１１および上記照明部２以外に設けたことを特徴とするものである。
【０００７】
このような構成をすることで、照明装置本体１１および照明部２から昇降手段３５を排除でき、照明装置本体１１および照明部２の小型軽量化および部品削減となり、材料費および組立費用の削減ができる。
【０００８】
また、前記着脱手段に永久磁石１３と電磁石２２による磁気的作用を用いることで、上記電磁石２２を励磁させ、上記照明部２の取り外しを行うものとなり、着脱手段に、動作機構を不要とし、着脱手段の簡素化ができ好ましい。
【０００９】
また、本発明の外部装置３は、請求項１または２記載の前記着脱手段を操作するための操作部３２および前記昇降手段３５を設けた外部装置３であって、前記照明装置本体１１および前記照明部２から分離したことを特徴とするものである。
【００１０】
このような構成をすることで、同様の構造の照明装置１に対して、照明部２の着脱および昇降を行うさいに、上記外部装置３を複数の照明装置１に共用でき、費用の削減ができ好ましい。
【００１１】
また、取り外した前記照明部２が載置される受け部３６を前記外部装置３に設けることで、取り外した上記照明部２を外部装置３が支持する支持手段に、動作機構が不要となり、照明部２の着脱が簡便化され好ましい。
【００１２】
また、前記受け部３６に前記照明部２の載置を検知する検知手段を設けることで、上記検知手段の検知した値が、照明部２の着脱状況の指標となるため、照明装置本体１１に対する照明部２の着脱状況の確認が容易になり、照明部２の確実な着脱が行え好ましい。
【００１３】
また、構造物の床面もしくは上記床面に接地した固定物に載置することで前記外部装置３の姿勢を保持する台座部３８を設けることで、上記外部装置３が安定した姿勢をとれ、取り外した照明部２を安定して支持できるとともに、取り外した照明部２および外部装置３による作業者への負荷が軽減され好ましい。
【発明の効果】
【００１４】
上記のように本発明の効果は、照明装置を高所に設けるなどの照明部のメンテナンスに、照明部の昇降手段を必要とする照明装置本体および照明部において、上記昇降手段を照明装置本体および照明部から排除することで、照明装置本体および照明部の構成の簡素化や、材料費および組立費用の削減ができる。更に、照明装置本体および照明部の小型軽量化にもなるため、照明装置本体の天井との固定具の削減ができるとともに、従来発明では、照明装置の重量の都合で設置できなかった場所への設置が可能となる。
【００１５】
また、上記着脱手段の操作部および昇降手段を外部装置とすることで、着脱手段の操作を遠隔から行え、照明装置を設けた高所に上がる必要が無くなり、尚且つ同一の構造で設けた複数の照明装置に対して、共用の外部装置となり、外部装置の数を減らせるため費用の削減ができる。
【発明を実施するための最良の形態】
【００１６】
以下、本発明を添付図面に示す実施形態に基づいて説明する。図１および２に示す実施例において、構造物の天井に固定された照明装置本体１１と、上記照明装置本体１１と着脱自在に設けた照明部２と、からなるものである。
【００１７】
上記照明装置本体１１内部には、照明装置１に対して上記照明部２を着脱自在とする着脱手段の可動部である本体側係合部１２を設けている。そして、本体側係合部１２は、上記本体側係合部１２を動かす動作レバー１２１と、上記動作レバー１２１を外部から操作するための開口部１２４と、照明部２を固定する対向してスライド自在に設けた二つの爪１２３，１２３と、上記動作レバー１２１と上記爪１２３，１２３を連動させるリンク機構１４，１４と、からなるものである。
【００１８】
上記リンク機構１４は、爪１２３のスライドを案内するスライドガイド１４１と、一端を上記スライドガイド１４１に枢支し他端を動作レバー１２１上をスライド自在とした回動部材１４２と、一端を上記回動部材１４２の動作レバー１２１側の端部と連結し他端を爪１２３に連結した連動部材１４３から夫々構成されたものである。
【００１９】
また、上記照明部２には、上記本体側係合部１２と係合する照明部側係合部２１が設けてあり、上記照明部側係合部２１は、上記本体側係合部１２の爪１２３，１２３が夫々差込まれる切り欠き部２１１，２１１を設けたものである。したがって、上記爪１２３，１２３を上記切り欠き部２１１，２１１に夫々差込むことで、照明装置本体１１に照明部２を固定している。
【００２０】
更に、本体側係合部１２の着脱手段の動作機構を、図３に示す。図３（ａ）は、照明装置本体１１に、照明部２を固定した状態であり、本体側係合部１２の爪１２３，１２３が、切り欠き部２１１，２１１に夫々差込まれている。
【００２１】
そして、動作レバー１２１を、Ａ方向に移動することで、夫々のリンク機構１４，１４の動作レバー１２１上の回動部材１４２，１４２と連動部材１４３，１４３の連結部分が、上記動作レバー１２１の近い側の端部に向かってスライドする。そのスライドに伴い、連動部材１４３と連結した爪１２３，１２３がスライドガイド１４１，１４１の近い側の端部に向かってスライドし、切り欠き部２１１，２１１から抜出され、照明装置本体１１から照明部２の固定が解かれた状態となり、図３（ｂ）の照明部２を取り外すことが可能な状態となる。
【００２２】
更に、図３（ｂ）の状態で、動作レバー１２１をＡ方向と逆に動かせば、上記リンク機構１４，１４が逆の動作を行い、爪１２３，１２３が切り欠き部２１１，２１１に夫々差込まれ、照明装置本体１１に照明部２が固定され、図３（ａ）の状態となる。また、本体側係合部１２に可動部を設けたことで、取り外した照明部２のメンテナンス作業のさいに、着脱手段が破損することを予防できるものとなる。
【００２３】
図４に、照明装置１の着脱手段の操作部３２および昇降手段３５を設けた外部装置３の実施例を示す。上記外部装置３は、円盤状の外部装置本体３１と、上記外部装置本体３１の外周に設けた操作部３２と、外部装置本体３１の下方の平面に設け構造物の床面に載置し外部装置３の姿勢を安定させる台座部３８と、外部装置本体３１の上方の平面から照明装置１に向けて設けた昇降手段３５と、上記昇降手段３５に昇降自在で支持された円筒状の受け部３６と、前記受け部３６の内周面に設け取り外した照明部２を受ける突出部３６１と、上記突出部３６１に設け上記照明部２の載置を検知する検知手段である力センサー３７と、からなるものである。
【００２４】
そして、上記昇降手段３５は、三本のボールねじ３５２と、上記ボールねじ３５２を駆動する外部装置本体３１内部に設けた昇降用駆動部３５１と、からなるものである。更に、三本の上記ボールねじ３５２の上方の端部のうち、一つには前記動力レバー１２１を駆動する着脱用駆動部３３を設けてあり、残りの二本のボールねじ３５２の端部には照明装置本体１１と接する面を備えた接触部３３４を設けてある。
【００２５】
上記着脱用駆動部３３は、前記動作レバー１２１と係合する凹部３３１と、上記凹部３３１をスライド自在とするレール部３３２と、上記レール部３３２に沿って上記凹部３３１をスライドさせる動力部３３３と、からなるものである。
【００２６】
上記レール部３３２は、上記凹部３３１の両端に開口した溝と水平に直交する方向でスライド自在とするレールを備えたものであり、前記動作レバー１２１に上記凹部３３１を嵌合し、操作部３２を操作し、凹部３３１をレール部３３２に沿ってスライドさせることで、上記動作レバー１２１がＡ方向に動き、照明部２と照明装置本体１１の係合が解除され、上記照明部２を取り外せる状態となる。
【００２７】
また、照明装置１から照明部２を取り外すさいに、ボールねじ３５２の接触部３３４を照明装置本体１１に接触させ、外部装置３の台座部３８の足の傾きを調節することで、外部装置３は、構造体の床面と照明装置１の間に、安定した姿勢で保持される。
【００２８】
そして、操作部３２を操作し、受け部３６を昇降手段３５により上昇させ、照明部２に当接もしくは近接させ、前記着脱用駆動部３３を駆動し、照明装置本体１１から照明部２を取り外すと、上記照明部２が、上記受け部３６の突出部３６１に支持される。更に、上記突出部３６１に設けた力センサー３７の情報から、照明部２を受け部３６が安定して支持したことを確認した後、昇降手段３５を駆動し、上記受け部３６を作業者の所望の高さまで下降させることで、照明部２のメンテナンス作業を実行できる。
【００２９】
なお、台座部３８は、高さの変更ができないものや、机など固定物の上に載置することが可能なものであってもよく、外部装置２を安定した姿勢で保持できるものであれば、特に限定しない。
【００３０】
図５は、照明部２の照明部側係合部２１に着脱手段の可動部を備え、上記照明部側係合部２１が動くことで、本体側係合部１２との着脱が行われる他例である。図５（ａ）のように、照明部側係合部２１は、照明装置本体１１に進出自在の対向した二つの突起２１２であり、本体側係合部１２は、上記突起２１２が差込まれる貫通口１２５であり、上記突起２１２が貫通口１２５に差込まれることで係合し、照明装置本体１１に照明部２が固定されている。
【００３１】
そして、図５（ｂ）のように、上記突起２１２を照明部２内部に収納することで、照明装置本体１１と照明部２の係合が解かれ、照明装置本体１１から照明部２を取り外し可能な状態となる。また、照明部２に、着脱手段の可動部を設けたことで、照明部２のメンテナンス作業のさいに、着脱手段の可動部もメンテナンス可能となる。
【００３２】
図６は、照明装置本体１１の本体側係合部１２を永久磁石１３とし、照明部側係合部２１を電磁石２２とした他例である。上記永久磁石１３の磁気的作用により電磁石２２が引き寄せられ、照明部２は照明装置本体１１に固定される。
【００３３】
また、照明部２の着脱手段を操作する外部装置３には、上記電磁石２２への電力供給源および操作部となる電力供給部３９と、照明部２へ電力を伝達する外部装置側導電部３９１が設けられており、照明部２には、上記外部装置側導電部３９１に接触することで電力供給を受ける照明部側導電部２２１と、電力供給により電磁石２２を励磁する導線２２２を設けている。
【００３４】
これらにより、照明部２を取り外すさい、外部装置３を照明部２に取り付け、上記外部装置側導電部３９１を照明部側導電部２２１に接触させ、導線２２２に電力供給を行うことで、電磁石２２を励磁し、永久磁石１３に反発させることで、照明装置本体１１から照明部２を取り外すことができる。
【００３５】
また、外部装置３の着脱用駆動部３３と外部装置側導電部３９１を、照明装置１の着脱手段に合わせて付け替え可能であってもよい。
【図面の簡単な説明】
【００３６】
【図１】本件発明の照明装置本体に照明部を固定した実施例の一部を切断した斜視図である。
【図２】同上の取り外した照明部の斜視図である。
【図３】同上の照明部の着脱手段において、（ａ）は照明装置本体に照明部を取り付けた状態の平面図であり、（ｂ）は照明装置本体から照明部を取り外し可能とした状態の平面図である。
【図４】同上の外部装置の実施例の斜視図である。
【図５】同上の照明部側係合部を可動式とした照明装置の他例における（ａ）が照明装置本体に照明部を取り付けた要所構成図であり、（ｂ）が照明装置本体から照明部を取り外した要所構成図である。
【図６】同上の磁気的作用を着脱手段とした照明装置および外部装置の他例の構成図である。
【符号の説明】
【００３７】
１  照明装置
１１  照明装置本体
１２  本体側係合部
２  照明部
２１  照明部側係合部
３  外部装置
３２  操作部
３１  外部装置本体
３３  着脱用駆動部
３５  昇降手段
３６  受け部
３７  力センサー
３８  台座部
【図１】
2010009864.tif 000003
【図２】
2010009864.tif 000004
【図３】
2010009864.tif 000005
【図４】
2010009864.tif 000006
【図５】
2010009864.tif 000007
【図６】
2010009864.tif 000008